(57)【特許請求の範囲】
【請求項１】
車両の後部座席の乗員に注意喚起を行うために、前記車両の後部座席の近傍に配置された複数の可視光照明（９１Ｌ〜９８Ｌ、９１Ｒ〜９８Ｒ）の点灯および消灯を制御すると共に、前記複数の可視光照明の一部または全部である可視光通信用照明（９８Ｌ、９８Ｒ）には、前記注意喚起の対象物を示す指示情報に応じた態様で可視光を出させるイルミネーション制御装置（９）と、
可視光通信用照明（９８Ｌ、９８Ｒ）から入射した可視光に応じた電気信号を出力する受光部（１２Ｌ、１２Ｒ）と、
前記受光部が出力した前記電気信号に基づいて、前記指示情報が示す対象物を含んだ文字情報を特定する受光信号処理部（１３）と、
前記受光信号処理部が特定した前記文字情報を前記車両の後部座席の乗員に表示する表示部（１５）と、を備えた後部座席用表示システム。
【請求項２】
前記可視光通信用照明は、前記複数の可視光照明の一部または全部による６０Ｈｚを超える周波数での点灯および消灯により、前記指示情報に応じた態様で可視光を出すことを特徴とする請求項１に記載の後部座席用表示システム。
【請求項３】
前記可視光通信用照明から出た可視光を前記受光部に導くと共に前記可視光通信用照明から出た可視光で前記車両の後部座席に座る乗員の足元を照らす導光部材（１１Ｌ、１１Ｒ）を備えたことを特徴とする請求項１または２に記載の後部座席用表示システム。
【請求項４】
前記対象物は、後部座席のドアであることを特徴とする請求項１ないし３のいずれか１つに記載の後部座席用表示システム。
【請求項５】
車両の後部座席の周辺に配置された複数の可視光照明（９１Ｌ〜９８Ｌ、９１Ｒ〜９８Ｒ）が前記車両の後部座席の乗員に注意喚起を行うために点灯または消灯し、更に、前記複数の可視光照明の一部または全部である可視光通信用照明（９８Ｌ、９８Ｒ）から前記注意喚起の対象物を示す指示情報に応じた態様の可視光を出したとき、前記指示情報に応じた態様の可視光に応じた電気信号を出力する受光部（１２Ｌ、１２Ｒ）と、
前記受光部が出力した前記電気信号に基づいて、前記指示情報が示す対象物を含んだ文字情報を特定する受光信号処理部（１３）と、
前記受光信号処理部が特定した前記文字情報を前記車両の後部座席の乗員に表示する表示部（１５）と、を備えた後部座席用受光表示装置。
【請求項６】
車両の後部座席の周辺に配置された複数の可視光照明（９１Ｌ〜９８Ｌ、９１Ｒ〜９８Ｒ）が前記車両の後部座席の乗員に注意喚起を行うために点灯または消灯し、更に、前記複数の可視光照明の一部または全部である可視光通信用照明（９８Ｌ、９８Ｒ）から前記注意喚起の対象物を示す指示情報に応じた態様の可視光を出したとき、前記指示情報に応じた態様の可視光に応じた電気信号を出力する受光部（１２Ｌ、１２Ｒ）から、前記電気信号を取得する制御装置（１４、１５）に用いるプログラムであって、
前記受光部が出力した前記電気信号に基づいて、前記指示情報に対応した文字情報を特定する受光信号処理部（１３）、および、
前記受光信号処理部が特定した文字情報を表示装置（１５）に表示させるための表示信号を生成する表示信号生成部（１４）として、前記制御装置を機能させるプログラム。
【発明の詳細な説明】
【技術分野】
【０００１】
本発明は、後部座席用表示システム、後部座席用表示装置、および制御装置用のプログラムに関するものである。
【背景技術】
【０００２】
従来、車両の後部座席の近傍に可視光を出す可視光照明を複数個配置し、後部座席の乗員が認識すべき位置に対して注意を喚起するべくこれら複数の可視光照明の点灯、消灯を制御する技術が知られている（特許文献１参照）。
【先行技術文献】
【特許文献】
【０００３】
【特許文献１】特開２００９−１２６２１３号公報
【発明の概要】
【発明が解決しようとする課題】
【０００４】
しかし、上記の技術では、複数の可視光照明による表示は、人によって受け止め方の差が大きく異なるため、注意喚起が必要な位置を後部座席の乗員が確実に把握できるとは限らない。その意味で、文字情報によってより具体的に注意喚起の対象物を示すことが望ましい場合もある。
【０００５】
本発明は上記点に鑑み、車両の後部座席の近傍に配置された複数の可視光照明を用いて後部座席の乗員に注意喚起を行う技術を利用して、当該注意喚起に対応した文字情報も後部座席の乗員に表示することを目的とする。
【課題を解決するための手段】
【０００６】
上記目的を達成するための請求項１に記載の発明は、車両の後部座席の乗員に注意喚起を行うために、前記車両の後部座席の近傍に配置された複数の可視光照明（９１Ｌ〜９８Ｌ、９１Ｒ〜９８Ｒ）の点灯および消灯を制御すると共に、前記複数の可視光照明の一部または全部である可視光通信用照明（９８Ｌ、９８Ｒ）には、前記注意喚起の対象物を示す指示情報に応じた態様で可視光を出させるイルミネーション制御装置（９）と、可視光通信用照明（９８Ｌ、９８Ｒ）から入射した可視光に応じた電気信号を出力する受光部（１２Ｌ、１２Ｒ）と、前記受光部が出力した前記電気信号に基づいて、前記指示情報が示す対象物を含んだ文字情報を特定する受光信号処理部（１３）と、前記受光信号処理部が特定した前記文字情報を前記車両の後部座席の乗員に表示する表示部（１５）と、を備えた後部座席用表示システムである。
【０００７】
また、請求項５に記載の発明は、車両の後部座席の周辺に配置された複数の可視光照明（９１Ｌ〜９８Ｌ、９１Ｒ〜９８Ｒ）が前記車両の後部座席の乗員に注意喚起を行うために点灯または消灯し、更に、前記複数の可視光照明の一部または全部である可視光通信用照明（９８Ｌ、９８Ｒ）から前記注意喚起の対象物を示す指示情報に応じた態様の可視光を出したとき、前記指示情報に応じた態様の可視光に応じた電気信号を出力する受光部（１２Ｌ、１２Ｒ）と、前記受光部が出力した前記電気信号に基づいて、前記指示情報が示す対象物を含んだ文字情報を特定する受光信号処理部（１３）と、前記受光信号処理部が特定した前記文字情報を前記車両の後部座席の乗員に表示する表示部（１５）と、を備えた後部座席用受光表示装置である。
【０００８】
また、請求項６に記載の発明は、車両の後部座席の周辺に配置された複数の可視光照明（９１Ｌ〜９８Ｌ、９１Ｒ〜９８Ｒ）が前記車両の後部座席の乗員に注意喚起を行うために点灯または消灯し、更に、前記複数の可視光照明の一部または全部である可視光通信用照明（９８Ｌ、９８Ｒ）から前記注意喚起の対象物を示す指示情報に応じた態様の可視光を出したとき、前記指示情報に応じた態様の可視光に応じた電気信号を出力する受光部（１２Ｌ、１２Ｒ）から、前記電気信号を取得する制御装置（１４、１５）に用いるプログラムであって、前記受光部が出力した前記電気信号に基づいて、前記指示情報に対応した文字情報を特定する受光信号処理部（１３）、および、前記受光信号処理部が特定した文字情報を表示装置（１５）に表示させるための表示信号を生成する表示信号生成部（１４）として、前記制御装置を機能させるプログラムである。
【０００９】
このように、複数の可視光照明が注意喚起を行うために点灯または消灯し、更に、可視光通信用照明から注意喚起の対象物を示す指示情報に応じた態様の可視光を出したとき、受光部が当該指示情報に応じた態様の可視光を電気信号に変換して出力する。そして、受光信号処理部は、当該電気信号に基づいて、当該指示情報が示す対象物を含んだ文字情報を特定し、表示部は、受光信号処理部が特定した当該文字情報を車両の後部座席の乗員に表示する。つまり、注意喚起のための可視光照明のうち可視光通信用照明から出る光を可視光通信にも利用することで、イルミネーション制御装置側に新たな送信装置を設ける必要なく、すなわち簡易に、注意喚起に対応した文字情報も後部座席の乗員に表示することができる。
【００１０】
なお、上記および特許請求の範囲における括弧内の符号は、特許請求の範囲に記載された用語と後述の実施形態に記載される当該用語を例示する具体物等との対応関係を示すものである。
【図面の簡単な説明】
【００１１】
【図１】本発明の実施形態に係る後部座席用表示システムの構成図である。
【図２】ＬＥＤ、導光部材、受光部、表示部の配置例を示す図である。
【図３】イルミネーション制御ＥＣＵが実行する処理のフローチャートである。
【図４】イルミネーション制御ＥＣＵが実行する処理のフローチャートである。
【発明を実施するための形態】
【００１２】
以下、本発明の一実施形態について説明する。図１に示すように、本実施形態に係る後部座席用表示システムは、車両に搭載され、後部座席用受光表示装置１、車両情報用ＬＡＮ２、周辺監視ＥＣＵ３、側方監視センサ３ａ、メータＥＣＵ４、車速センサ４ａ、ボデー制御ＥＣＵ５、ドア開閉センサ５ａ、着座センサ５ｂ、シートベルトセンサ５ｃ、シフト位置センサ５ｄ、イルミネーション制御ＥＣＵ９等を備えている。
【００１３】
後部座席用受光表示装置１は、後部座席に着座する乗員に文字情報を提示するための装置である。車両情報用ＬＡＮ２は、ＣＡＮ等の周知の車内ＬＡＮである。
【００１４】
周辺監視ＥＣＵ３は、側方監視センサ３ａ（例えばミリ波レーダ）から出力された検出信号に基づいて、車両の右後側方および左後側方の移動体の位置、移動方向、移動速度を特定する。位置、移動方向、移動速度は、車両を基準とする相対的な量である。そして、特定した車両の右後側方および左後側方の移動体の位置、移動方向、移動距離の情報を、移動体情報として車両情報用ＬＡＮ２に送信する。
【００１５】
メータＥＣＵ４は、車両の車輪の回転速に応じた車速情報を検出信号として出力する車速センサ４ａから当該検出信号を取得し、取得した検出信号に応じた車速の情報をメータに表示させる。またメータＥＣＵ４は、当該車速の情報を、車速情報として車両情報用ＬＡＮ２に送信する。
【００１６】
ボデー制御ＥＣＵ５は、車両のドアの開閉およびロック、アンロックを制御する装置であり、ドア開閉センサ５ａから出力された検出信号に基づいて、車両の各ドア（例えば、運転席側ドア、助手席側ドア、後部座席右側ドア、後部座席左側ドア）の開閉およびロック、アンロックの状態を特定する。そして、特定した各ドアの開閉およびロック、アンロックの状態を、ドア状態情報として、車両情報用ＬＡＮ２に送信する。
【００１７】
また、ボデー制御ＥＣＵ５は、車両の各座席（例えば、運転席、助手席、後部右側座席、後部左側座席）における着座の有無に応じた信号を検出信号として出力する着座センサ５ｂから当該検出信号を取得する。そして、取得した当該検出信号に基づいて、車両の各座席における着座の有無の情報として着座情報を作成し、作成した着座情報を車両情報用ＬＡＮ２に送信する。
【００１８】
また、ボデー制御ＥＣＵ５は、車両の各座席（例えば、運転席、助手席、後部右側座席、後部左側座席）におけるシートベルト着用の有無に応じた信号を検出信号として出力するシートベルトセンサ５ｃから当該検出信号を取得する。そして、取得した当該検出信号に基づいて、車両の各座席におけるシートベルト着用の有無の情報としてシートベルト情報を作成し、作成したシートベルト情報を車両情報用ＬＡＮ２に送信する。
【００１９】
また、ボデー制御ＥＣＵ５は、車両のトランスミッションのシフト位置（パーキング、ドライブ、ニュートラル、リバース等）に応じた信号を検出信号として出力するシフト位置センサ５ｄから当該検出信号を取得する。そして、取得した当該検出信号に基づいて、車両のトランスミッションのシフト位置の情報としてシフト位置情報を作成し、作成したシフト位置情報を車両情報用ＬＡＮ２に送信する。
【００２０】
イルミネーション制御ＥＣＵ（イルミネーション制御装置の一例に相当する）９は、ＣＰＵ、ＲＡＭ、ＲＯＭ等を備えた周知のマイクロコンピュータを備えていると共に、車両情報用ＬＡＮ２を介して通信可能にするための通信インターフェースを有している。ＣＰＵがＲＡＭを作業領域としてＲＯＭに記録されている各種プログラムを実行することで、イルミネーション制御ＥＣＵ９による各種処理（例えば、図３、図４の処理）が実現する。
【００２１】
また、イルミネーション制御ＥＣＵ９は、車両の後部座席の乗員に注意喚起を行うための複数個の可視光照明９１Ｌ〜９８Ｌ、９１Ｒ〜９８Ｒの点灯、消灯を制御できるようになっている。可視光照明は、可視光を出す照明であり、本実施形態では、ＬＥＤによって実現している。これら可視光照明９１Ｌ〜９８Ｌ、９１Ｒ〜９８Ｒは、図２に示すように、車室内かつ後部座席の近傍に配置されている。
【００２２】
より具体的には、可視光照明９１Ｌ〜９８Ｌ、９１Ｒ〜９８Ｒのうち、８個の後席左側ＬＥＤ９１Ｌ〜９８Ｌは、後部座席左側のドアの車室内側かつ下方の、当該ドアが閉じられた状態で後部左側座席の乗員から見える位置において、車両前後方向に、等間隔を空けて真っ直ぐ一列に並んでいる。あるいは、後席左側ＬＥＤ９１Ｌ〜９８Ｌの位置は、車室内の床のうち、当該ドアに近い位置に配置されていてもよい。
【００２３】
可視光照明９１Ｌ〜９８Ｌ、９１Ｒ〜９８Ｒのうち、８個の後席右側ＬＥＤ９１Ｒ〜９８Ｒは、後部座席右側のドアの車室内側かつ下方の、当該ドアが閉じられた状態で後部右側座席の乗員から見える位置において、車両前後方向に、等間隔を空けて真っ直ぐ一列に並んでいる。あるいは、後席右側ＬＥＤ９１Ｒ〜９８Ｒの位置は、車室内の床のうち、当該ドアに近い位置に配置されていてもよい。
【００２４】
また、これら可視光照明９１Ｌ〜９８Ｌ、９１Ｒ〜９８Ｒのうち、可視光照明９８Ｌ、９８Ｒは、後部座席用受光表示装置１に指示情報を送信するための可視光通信用照明でもある。
【００２５】
後部座席用受光表示装置１は、後席左側導光部材１１Ｌ、後席右側導光部材１１Ｒ、後席左側受光部１２Ｌ、後席右側受光部１２Ｒ、受光信号処理部１３、表示信号生成部１４、表示部１５を備えている。
【００２６】
後席左側導光部材１１Ｌは、例えば複数の光ファイバーが束ねられ、光を通さない被覆で側面が覆われた光ケーブルであり、図２に示すように、当該光ケーブルの一端が可視光通信用照明９８Ｌに近接して配置され、他端が後席左側受光部１２Ｌに近接して配置される。これにより、可視光通信用照明９８Ｌが出した光は、上記一端から後席左側導光部材１１Ｌ内に入射し、後席左側導光部材１１Ｌ内を伝達して上記他端から後席左側導光部材１１Ｌ外に出て、後席左側受光部１２Ｌに入射する。
【００２７】
後席右側導光部材１１Ｒも、後席左側導光部材１１Ｌと同様の光ケーブルであり、図２に示すように、当該光ケーブルの一端が可視光通信用照明９８Ｒに近接して配置され、他端が後席右側受光部１２Ｒに近接して配置される。これにより、可視光通信用照明９８Ｒが出した光は、上記一端から後席右側導光部材１１Ｒ内に入射し、後席右側導光部材１１Ｒ内を伝達して上記他端から後席右側導光部材１１Ｒ外に出て、後席右側受光部１２Ｒに入射する。
【００２８】
後席左側受光部１２Ｌ、後席右側受光部１２Ｒの各々は、入射した可視光を電気信号に変換して受光信号処理部１３に出力する装置であり、本実施形態では、入射した光の強度に応じた大きさの電流を出力するフォトダイオードにより実現されている。
【００２９】
受光信号処理部１３は、後席左側受光部１２Ｌ、後席右側受光部１２Ｒが出力した電気信号に基づいて、あらかじめ定められた規則により、文字情報を特定する。
【００３０】
表示信号生成部１４は、受光信号処理部１３が特定した文字情報を表示部１５に表示させるための映像信号を生成し、生成した映像信号を表示部１５に出力する装置である。
【００３１】
表示部１５は、液晶パネル等を備えた画像表示装置であって、表示信号生成部１４から出力された映像信号に応じた画像を表示する。表示部１５は、図２に示すように、運転席ＦＲと助手席ＦＬの間のセンターコンソールＣＣの後背面に、車両後方を向いて、取り付けられている。したがって、表示部１５の表示内容は、後部座席（後部左側座席および後部右側座席）に座る乗員から視認可能である。また、表示部１５には、音声出力装置（図示せず）も付随している。
【００３２】
（後席右半ドア警告処理）
次に、上記のような構成の後部座席用表示システムの作動について説明する。まず、後席右半ドア警告処理について説明する。イルミネーション制御ＥＣＵ９は、車両のメインスイッチがオンになると、図３の後席右半ドア警告処理を開始する。
【００３３】
なお、ここでいうメインスイッチは、車両の走行のための動力を発生する動力源（内燃機関、電気モータ等）の始動を可能な状態にするスイッチである。メインスイッチとしては、例えば、内燃機関の動力で走行する車両のイグニッションスイッチ、電気自動車に走行のための動力を供給する電気モータへの通電を許可する主電源スイッチがある。
【００３４】
後席右半ドア警告処理では、まずステップＳ１０５で、後部座席右側ドアが開いているか否かを、ボデー制御ＥＣＵ５から車両情報用ＬＡＮ２に送信された最新のドア状態情報に基づいて判定する。そして、後部座席右側ドアが開いていないと判定した場合は、ステップＳ１０５に戻り同じ判定を繰り返す。
【００３５】
後部座席右側ドアが半ドア状態になったり、あるいは、完全に開いた状態になると、ドア状態情報には、後部座席右側ドアが開いているという情報が含まれる。したがって、イルミネーション制御ＥＣＵ９は、後部座席右側ドアが開いたと判定し、続いてステップＳ１１０に進む。
【００３６】
なお、ドア状態情報に後部座席右側ドアが開いているという情報が含まれる場合は、車両内の図示しないメータ制御ＥＣＵが、当該ドア状態情報に基づいて、後部座席右側ドアが開いている旨の警告を、運転席の正面のメータに表示させる。
【００３７】
ステップＳ１１０では、後部座席右側に乗員が着座しているか否かを、ボデー制御ＥＣＵ５から車両情報用ＬＡＮ２に送信された最新の着座情報に基づいて判定する。そして、後部座席右側に乗員が着座していない場合は、ステップＳ１０５に戻る。この場合は、運転席の乗員のみに後部座席右側ドアが開いている旨の警告を行うが、後部座席右側に乗員が着座していないので、それで問題ない。
【００３８】
ステップＳ１１０で、後部座席右側に乗員が着座していると判定した場合、続いてステップＳ１１５に進む。ステップＳ１１５では、後部座席右側のシートベルトが着用されているか否かをボデー制御ＥＣＵ５から車両情報用ＬＡＮ２に送信される最新のシートベルト情報に基づいて判定する。そして、後部座席右側のシートベルトが着用されていないと判定した場合、ステップＳ１２０に進む。
【００３９】
ステップＳ１２０では、現在のシフト位置がドライブポジションとリバースポジションのどちらかであるか、あるいはどちらでもないかを、ボデー制御ＥＣＵ５から車両情報用ＬＡＮ２に送信された最新のシフト位置情報に基づいて、判定する。
【００４０】
ドライブポジションとリバースポジションのどちらでもないと判定した場合、車両はアクセル操作で動き出せる状態にないので、後部座席右側に乗員が着座している乗員はまだ車内移動作業を完全に終えていないと考えられる。したがってこの場合、ステップＳ１０５に戻る。
【００４１】
ステップＳ１２０で現在のシフト位置がドライブポジションとリバースポジションのどちらかであると判定した場合は、車両は走行直前（アクセルペダルを踏むだけで走行できる状態）かあるいは走行していることになる。この場合は、ステップＳ１２５に進み、後部右側座席のシートベルトを注意喚起の対象物とする第１段階警告を行う。
【００４２】
具体的には、流れる光の演出で、後部右側座席のシートベルトに視線を導くよう、後席右側ＬＥＤ９１Ｒ〜９８Ｒを異なるタイミングで点灯させる。例えば、後席右側ＬＥＤ９１Ｒ〜９８Ｒのうち後部右側座席のシートベルトの特定部品（例えばバックル）から最も遠い位置にあるＬＥＤ９８Ｒから最も近い位置にあるＬＥＤ９１Ｒまで、１個ずつ、０．１秒毎に点灯させていく。
【００４３】
更には、可視光通信用照明９８Ｒについては、単に点灯させているだけではなく、人が見てちらついていないと感じる程度の周波数（具体的には６０Ｈｚを超える周波数）で点滅を繰り返させることで、指示情報が重畳された可視光を出させる。指示情報は、このステップＳ１２５では、注意喚起の対象物として後部右側座席のシートベルトを示すと共に第１段階警告であることを示すデジタルデータ（例えば、文字列、特定のコード）である。このような指示情報を光の点滅に変換する方法としては、例えば、”１”のビットを消灯から点灯への立上りエッジとし、”０”のビットを点灯から消灯への立下がりエッジとするマンチェスター符号化方式を用いても良いし、他の種々の方式を用いてもよい。
【００４４】
このようにして可視光通信用照明９８Ｒから出た可視光は、後席右側導光部材１１Ｒを通って後席右側受光部１２Ｒに入射する。すると、後席右側受光部１２Ｒは、入射した可視光に応じた電気信号（例えば、点灯でハイ、消灯でローとなる信号）を出力する。
【００４５】
受光信号処理部１３は、この電気信号に基づいて、指示情報を復元し、復元した指示情報が示す対象物を含んだ文字列である文字情報を作成する。指示情報と、指示情報から作成する文字情報との対応関係は、あらかじめ定められてイルミネーション制御ＥＣＵ９の記憶媒体（例えばＲＯＭ）に記録されている対応関係情報に基づいて特定する。なお、対応関係情報は、後席右半ドア警告処理、および後述する右後側方監視警告処理、後席左半ドア警告処理、左後側方監視警告処理、毎に、異なるものが用いられる。
【００４６】
この時点（第１段階警告）では、受光信号処理部１３は、後部右側座席のシートベルトを示す指示情報に対応する文字情報として、「シートベルトをしてください」という文字情報を特定し、特定した文字情報を表示信号生成部１４に出力する。同時に、表示部１５に付随する音声出力装置に、「シートベルトをしてください」という音声による警告を出力させる。
【００４７】
表示信号生成部１４は、受光信号処理部１３が出力した文字情報に対応した映像信号を表示部１５に出力する。これにより、表示部１５が当該文字情報を表示部１５に表示させる。
【００４８】
このように、後部右側座席の乗員は、後席右側ＬＥＤ９１Ｒ〜９８Ｒの流れる演出および表示部１５による文字情報表示によって、シートベルトの付け忘れの注意喚起を受ける。したがって、もし後席右側ＬＥＤ９１Ｒ〜９８Ｒによる流れる演出の意味を把握できなくても、文字情報によって明確に、注意喚起の対象物（後部右側座席のシートベルト）を知ることができる。
【００４９】
イルミネーション制御ＥＣＵ９は、ステップＳ１２０の実行後、ステップＳ１３０に進む。また、ステップＳ１１５で、後部座席右側のシートベルトが着用されていると判定した場合も、ステップＳ１３０に進む。
【００５０】
ステップＳ１３０では、メータＥＣＵ４から車両情報用ＬＡＮ２に送信された車速情報に基づいて、車速が時速０ｋｍであるか否か、すなわち、車両が停止しているか否かを判定し、停止している場合はステップＳ１３５に進む。
【００５１】
ステップ１３５では、ステップＳ１２０と同じ方法で、現在のシフト位置がドライブポジションとリバースポジションのどちらかであるか、あるいはどちらでもないかを判定する。
【００５２】
ドライブポジションとリバースポジションのどちらでもないと判定した場合、車両はアクセル操作で動き出せる状態にない。したがってこの場合、ステップＳ１０５に戻る。
【００５３】
ステップＳ１３５で現在のシフト位置がドライブポジションとリバースポジションのどちらかであると判定した場合は、車両は走行直前であると考えられる。したがってこの場合は、ステップＳ１４０に進み、開いている後部座席右側ドアを注意喚起の対象物とする第２段階警告を行う。
【００５４】
具体的には、流れる光の演出で、後部座席右側ドアのドアノブに視線を導くよう、後席右側ＬＥＤ９１Ｒ〜９８Ｒを異なるタイミングで点灯させる。例えば、後席右側ＬＥＤ９１Ｒ〜９８Ｒのうち後部座席右側ドアのドアノブに最も近いＬＥＤがＬＥＤ９５Ｒだったとすると、後席右側ＬＥＤ９１Ｒ〜９８Ｒのうち両端のＬＥＤ９１Ｒ、９８Ｒをまず同時に点灯させ、その後、ＬＥＤ９２Ｒ、９７Ｒを同時に点灯させ、その後、ＬＥＤ９３Ｒ、９６Ｒを同時に点灯させ、その後、ＬＥＤ９４Ｒを点灯させ、その後、最後にＬＥＤ９５Ｒを点灯させる。つまり、光が後席右側ＬＥＤ９１Ｒ〜９８Ｒの列の両端からドアノブに流れるような演出で、後部座席右側ドアのドアノブに視線を導く。
【００５５】
更には、可視光通信用照明９８Ｒについては、単に点灯させているだけではなく、人が見てちらついていないと感じる程度の周波数（具体的には６０Ｈｚを超える周波数）で点滅を繰り返させることで、指示情報が重畳された可視光を出させる。指示情報は、このステップＳ１２５では、注意喚起の対象物として後部座席右側ドアを示すと共に第２段階警告であることを示すデジタルデータである。
【００５６】
このようにして可視光通信用照明９８Ｒから出た可視光は、後席右側導光部材１１Ｒを通って後席右側受光部１２Ｒに入射する。すると、後席右側受光部１２Ｒは、入射した可視光に応じた電気信号を出力する。受光信号処理部１３は、この電気信号に基づいて、指示情報を復元し、復元した指示情報が示す対象物を含んだ文字列である文字情報を、既に説明した対応関係情報に基づいて、作成する。
【００５７】
この時点（第２段階警告）では、受光信号処理部１３は、後部座席右側ドアを示すと共に第２段階警告であることを示す指示情報に対応する文字情報として、「後部座席右側ドアが半ドアです」という文字情報を特定し、特定した文字情報を表示信号生成部１４に出力する。表示信号生成部１４は、受光信号処理部１３が出力した文字情報に対応した映像信号を表示部１５に出力する。これにより、表示部１５が当該文字情報を表示部１５に表示させる。
【００５８】
このように、後部右側座席の乗員は、後席右側ＬＥＤ９１Ｒ〜９８Ｒの流れる演出および表示部１５による文字情報表示によって、後部座席右側ドアの閉め忘れの注意喚起を受ける。したがって、もし後席右側ＬＥＤ９１Ｒ〜９８Ｒによる流れる演出の意味を把握できなくても、文字情報によって明確に、注意喚起の対象物（後部座席右側ドア）を知ることができる。
【００５９】
以上、第２段階警告について説明したが、ステップＳ１２５で第１段階警告を行った直後にステップＳ１３０を経てステップＳ１３５に進んだ場合は、第１段階警告を継続して第２段階警告は行わない。つまり、第１段階警告は第２段階警告よりも優先され、ステップＳ１１５でＹＥＳの判定があった直後にステップＳ１３０を経てステップＳ１３５に進んだ場合に限り、第２段階警告を行う。
【００６０】
このようにするのは、表示部１５にサイズ的な制限がある点、および、乗員に過多な情報を通知したくない点に鑑みれば、複数種類の警告を行うよりは、より優先する１種類の警告を行うことが望ましいからである。そして、後部座席右側ドアが閉じておらず、かつ、そのドアの近くの乗員がシートベルトをしていない状況では、当該乗員が車外に落ちないようにすることが一番重要なので、当該乗員にシートベルトを着用させることが、ドアを閉めるよりも優先される。
【００６１】
イルミネーション制御ＥＣＵ９は、ステップＳ１４０の実行後、ステップＳ１０５に戻るが、同じ条件が継続する限り、ステップＳ１４０にて同じ第２段階警告が（例えば１秒間隔で）繰り返され続ける。
【００６２】
なお、イルミネーション制御ＥＣＵ９は、第２段階警告の繰り返しが始まった時点からの経過時間を計測する。経過時間が基準時間（例えば１０秒）を経過する前に、後部座席右側ドアが閉じられれば、ステップＳ１４０の繰り返しは終了される。しかし、第２段階警告の繰り返しが続いたまま経過時間が基準時間を経過すると、イルミネーション制御ＥＣＵ９は、表示部１５に付随する音声出力装置に警告音を発生させる旨の指示情報が重畳された可視光を出させるよう、可視光通信用照明９８Ｒの点灯、消灯を制御する。この可視光は、後席右側導光部材１１Ｒを通って後席右側受光部１２Ｒに入射する。すると、後席右側受光部１２Ｒは、入射した可視光に応じた電気信号を出力する。受光信号処理部１３は、この電気信号に基づいて、指示情報を復元し、復元した指示情報に基づいて、表示部１５に付随する音声出力装置に、警告音（ブザーによる警告音、または、音声による警告音）を出力させる。
【００６３】
また、ステップＳ１３０で、車速が時速０ｋｍでないと判定した場合（車両が既に走行を開始している場合）は、ステップＳ１４５に進む。ステップＳ１４５では、開いている後部座席右側ドアを注意喚起の対象物とする第３段階警告を行う。
【００６４】
具体的には、ステップＳ１４０と同じ方法による流れる光の演出で、後部座席右側ドアのドアノブに視線を導くよう、後席右側ＬＥＤ９１Ｒ〜９８Ｒを異なるタイミングで点灯させる。
【００６５】
更には、可視光通信用照明９８Ｒについても、ステップＳ１４０と同じく、人が見てちらついていないと感じる程度の周波数（具体的には６０Ｈｚを超える周波数）で点滅を繰り返させることで、指示情報が重畳された可視光を出させる。指示情報は、このステップＳ１４５では、注意喚起の対象物として後部座席右側ドアを示すと共に第３段階警告であることを示すデジタルデータである。
【００６６】
このようにして可視光通信用照明９８Ｒから出た可視光は、後席右側導光部材１１Ｒを通って後席右側受光部１２Ｒに入射する。すると、後席右側受光部１２Ｒは、入射した可視光に応じた電気信号を出力する。受光信号処理部１３は、この電気信号に基づいて、指示情報を復元し、復元した指示情報が示す対象物を含んだ文字列である文字情報を、既に説明した対応関係情報に基づいて、作成する。
【００６７】
この時点（第３段階警告）では、受光信号処理部１３は、後部座席右側ドアを示すと共に第３段階警告であることを示す指示情報に対応する文字情報として、「後部座席右側ドアが半ドアです」という文字情報を特定し、特定した文字情報を表示信号生成部１４に出力する。表示信号生成部１４は、受光信号処理部１３が出力した文字情報に対応した映像信号を表示部１５に出力する。これにより、表示部１５が当該文字情報を表示部１５に表示させる。ただし、受光信号処理部１３は、復元した指示情報が第３段階警告を示している場合、第２段階警告を示している場合に比べ、より大きい文字でより強調して、当該文字情報を表示部１５に表示させる。
【００６８】
また受光信号処理部１３は、復元した指示情報が第１、第２段階警告ではなく第３段階警告である場合、表示部１５に付随する音声出力装置に、ブザー音を出力させると共に、その後、「後部座席右側ドアが半ドアです。ドアノブの操作に注意してください。」という音声を出力させる。イルミネーション制御ＥＣＵ９は、ステップＳ１４５を実行した後、ステップＳ１０５に戻る。
【００６９】
以上、第３段階警告について説明したが、ステップＳ１２５で第１段階警告を行った直後にステップＳ１３０を経てステップＳ１４５に進んだ場合は、第１段階警告を継続して第３段階警告は行わない。つまり、第１段階警告は第３段階警告よりも優先され、ステップＳ１１５でＹＥＳの判定があった直後にステップＳ１３０を経てステップＳ１４５に進んだ場合に限り、第３段階警告を行う。このようにする理由は、第２段階警告について説明した理由と同じである。
【００７０】
このように、後部右側座席の乗員は、後席右側ＬＥＤ９１Ｒ〜９８Ｒの流れる演出および表示部１５による文字情報表示によって、後部座席右側ドアの閉め忘れの注意喚起を受ける。したがって、もし後席右側ＬＥＤ９１Ｒ〜９８Ｒによる流れる演出の意味を把握できなくても、文字情報によって明確に、注意喚起の対象物（後部座席右側ドア）を知ることができる。また、車両が走行を始めているのに後部座席右側ドアが開いているという逼迫した場合には、警告のレベルをより高めて、音声でも警告を行う。
【００７１】
また、上述の通り、第１、第２段階警告が同時に競合することがある場合は第１段階警告が優先され、第１、第３段階警告が同時に競合することがある場合は第１段階警告が優先される。
【００７２】
（右後側方監視警告処理）
次に、右後側方監視警告処理について説明する。イルミネーション制御ＥＣＵ９は、車両のメインスイッチがオンになると、図４の右後側方監視警告処理を開始する。
【００７３】
右後側方監視警告処理では、まずステップＳ２０５で、メータＥＣＵ４からＬＡＮ２に送信された車速情報に基づいて、車速が時速０ｋｍであるか否か、すなわち、車両が停止しているか否かを判定する。そして、車速が時速０ｋｍでないと判定すれば、ステップＳ２０５の判定を繰り返し、車速が時速０ｋｍであると判定すればステップＳ２１０に進む。
【００７４】
ステップＳ２１０では、右後側方に移動体があるか否かを、周辺監視ＥＣＵ３が車両情報用ＬＡＮ２に送信した最新の移動体情報に基づいて判定する。そして、右後側方に移動体が無いと判定した場合は、ステップＳ２０５に戻り、右後側方に移動体があると判定した場合は、ステップＳ２１５に進む。本例では、移動体情報によれば右後側方に移動体が１つあるとする。
【００７５】
ステップＳ２１５では、ステップＳ２１０であると判定された移動体について、車両を基準とする当該移動体の位置、移動方向、移動速度の情報を、最新の移動体情報に基づいて特定する。
【００７６】
続いてステップ２２０では、後部座席右側に乗員が着座しているか否かを、ボデーＥＣＵ５から車両情報用ＬＡＮ２に送信された最新の着座情報に基づいて判定する。そして、後部座席右側に乗員が着座していない場合は、ステップＳ２２０に戻り、後部座席右側に乗員が着座している場合は、ステップＳ２２５に進む。
【００７７】
ステップＳ２２５では、第１段階警告を行う。具体的には、流れる光の演出で、当該移動体に視線を導くよう、後席右側ＬＥＤ９１Ｒ〜９８Ｒを異なるタイミングで点灯させる。例えば、後席右半ドア警告処理の第１段階警告と同様に、後席右側ＬＥＤ９１Ｒ〜９８Ｒを制御してもよい。
【００７８】
更には、可視光通信用照明９８Ｒについては、単に点灯させているだけではなく、人が見てちらついていないと感じる程度の周波数（具体的には６０Ｈｚを超える周波数）で点滅を繰り返させることで、指示情報が重畳された可視光を出させる。指示情報は、このステップＳ２２５では、注意喚起の対象物として右後側方の移動体を示すと共に第１段階警告であることを示すデジタルデータである。
【００７９】
このようにして可視光通信用照明９８Ｒから出た可視光は、後席右側導光部材１１Ｒを通って後席右側受光部１２Ｒに入射する。すると、後席右側受光部１２Ｒは、入射した可視光に応じた電気信号を出力する。受光信号処理部１３は、この電気信号に基づいて、指示情報を復元し、復元した指示情報が示す対象物を含んだ文字列である文字情報を、既に説明した対応関係情報に基づいて、作成する。
【００８０】
この時点（第１段階警告）では、受光信号処理部１３は、右後側方の移動体を示すと共に第１段階警告であることを示す指示情報に対応する文字情報として、「右後側方に移動体（車両等）あり」という文字情報を特定し、特定した文字情報を表示信号生成部１４に出力する。表示信号生成部１４は、受光信号処理部１３が出力した文字情報に対応した映像信号を表示部１５に出力する。これにより、表示部１５が当該文字情報を表示部１５に表示させる。
【００８１】
このように、後部右側座席の乗員は、後席右側ＬＥＤ９１Ｒ〜９８Ｒの流れる演出および表示部１５による文字情報表示によって、右後側方の移動体の注意喚起を受ける。したがって、もし後席右側ＬＥＤ９１Ｒ〜９８Ｒによる流れる演出の意味を把握できなくても、文字情報によって明確に、注意喚起の対象物（右後側方の移動体）を知ることができる。
【００８２】
ステップＳ２２５に続いては、ステップＳ２３０で、最新の移動体情報に基づいて、当該移動体の移動軌跡を予測し、その予測結果に基づいて、当該移動体が所定時間以内（例えば５秒以内）に車両の後部右側ドアに所定距離以下（例えば５メートル以下）で最接近するか否かを判定する。なお、車両における後部右側ドアの位置は、イルミネーション制御ＥＣＵ９のＲＯＭ内にあらかじめ記録されているドア位置情報に基づいて特定する。
【００８３】
当該移動体が所定時間以内に車両の後部右側ドアに所定距離以下で最接近しないと判定した場合は、後部座席右側ドアを空けても問題ないので、ステップＳ２０５に戻る。一方、当該移動体が所定時間以内に車両の後部右側ドアに所定距離以下で最接近すると判定した場合は、ステップＳ２３５に進む。
【００８４】
ステップＳ２３５では、後部座席右側ドアがロックされているか否かを、ボデー制御ＥＣＵ５から車両情報用ＬＡＮ２に送信された最新のドア状態情報に基づいて判定する。そして、後部座席右側ドアがロックされていると判定すれば、後部右側座席に着座する乗員が直ちに後部座席右側ドアを開ける可能性がないので、ステップＳ２０５に戻る。一方、後部座席右側ドアがロックされていないと判定すれば、ステップＳ２４０に進む。
【００８５】
ステップＳ２４０では、後部座席右側ドアが開いているか否かを、ボデー制御ＥＣＵ５から車両情報用ＬＡＮ２に送信された最新のドア状態情報に基づいて判定する。そして、開いていないと判定した場合はステップＳ２４５に進み、開いていると判定した場合はステップＳ２５０に進む。
【００８６】
ステップＳ２４５では、第２段階警告を行う。具体的には、流れる光の演出で、後部座席右側ドアのドアノブに視線を導くよう、後席右側ＬＥＤ９１Ｒ〜９８Ｒを異なるタイミングで点灯させる。例えば、後席右半ドア警告処理の第２段階警告と同様に、後席右側ＬＥＤ９１Ｒ〜９８Ｒを制御してもよい。
【００８７】
更には、可視光通信用照明９８Ｒについては、単に点灯させているだけではなく、人が見てちらついていないと感じる程度の周波数（具体的には６０Ｈｚを超える周波数）で点滅を繰り返させることで、指示情報が重畳された可視光を出させる。指示情報は、このステップＳ２４５では、注意喚起の対象物として後部座席右側ドアを示すと共に第２段階警告であることを示すデジタルデータである。
【００８８】
このようにして可視光通信用照明９８Ｒから出た可視光は、後席右側導光部材１１Ｒを通って後席右側受光部１２Ｒに入射する。すると、後席右側受光部１２Ｒは、入射した可視光に応じた電気信号を出力する。受光信号処理部１３は、この電気信号に基づいて、指示情報を復元し、復元した指示情報が示す対象物を含んだ文字列である文字情報を、既に説明した対応関係情報に基づいて、作成する。
【００８９】
この時点（第２段階警告）では、受光信号処理部１３は、後部座席右側ドアを示すと共に第２段階警告であることを示す指示情報に対応する文字情報として、「後部座席右側ドアを開けないでください」という文字情報を特定し、特定した文字情報を表示信号生成部１４に出力する。表示信号生成部１４は、受光信号処理部１３が出力した文字情報に対応した映像信号を表示部１５に出力する。これにより、表示部１５が当該文字情報を表示部１５に表示させる。
【００９０】
このように、後部右側座席の乗員は、後席右側ＬＥＤ９１Ｒ〜９８Ｒの流れる演出および表示部１５による文字情報表示によって、移動体が迫ってきているのにうっかり後部座席右側ドアを開けてしまわないよう注意喚起を受ける。したがって、もし後席右側ＬＥＤ９１Ｒ〜９８Ｒによる流れる演出の意味を把握できなくても、文字情報によって明確に、注意喚起の対象物（後部座席右側ドア）を知ることができる。イルミネーション制御ＥＣＵ９は、ステップＳ２４５の後、ステップＳ２０５に戻る。
【００９１】
既に後部右側座席の乗員が後部座席右側ドアを開け始めている場合に実行されるステップＳ２５０では、第３段階警告を行う。具体的には、流れる光の演出で、後部座席右側ドアのドアノブに視線を導くよう、後席右側ＬＥＤ９１Ｒ〜９８Ｒを異なるタイミングで点灯させる。例えば、上記第２段階警告と同様に、後席右側ＬＥＤ９１Ｒ〜９８Ｒを制御してもよい。
【００９２】
更には、可視光通信用照明９８Ｒについては、単に点灯させているだけではなく、人が見てちらついていないと感じる程度の周波数（具体的には６０Ｈｚを超える周波数）で点滅を繰り返させることで、指示情報が重畳された可視光を出させる。指示情報は、このステップＳ２５０では、注意喚起の対象物として後部座席右側ドアを示すと共に第３段階警告であることを示すデジタルデータである。
【００９３】
このようにして可視光通信用照明９８Ｒから出た可視光は、後席右側導光部材１１Ｒを通って後席右側受光部１２Ｒに入射する。すると、後席右側受光部１２Ｒは、入射した可視光に応じた電気信号を出力する。受光信号処理部１３は、この電気信号に基づいて、指示情報を復元し、復元した指示情報が示す対象物を含んだ文字列である文字情報を、既に説明した対応関係情報に基づいて、作成する。
【００９４】
この時点（第３段階警告）では、受光信号処理部１３は、後部座席右側ドアを示すと共に第３段階警告であることを示す指示情報に対応する文字情報として、「後部座席右側ドアに触るな！」という文字情報を特定し、特定した文字情報を表示信号生成部１４に出力する。表示信号生成部１４は、受光信号処理部１３が出力した文字情報に対応した映像信号を表示部１５に出力する。これにより、表示部１５が当該文字情報を表示部１５に表示させる。ただし、受光信号処理部１３は、復元した指示情報が第３段階警告を示している場合、第２段階警告を示している場合に比べ、より大きい文字でより強調して、当該文字情報を表示部１５に表示させる。
【００９５】
また受光信号処理部１３は、復元した指示情報が第１、第２段階警告ではなく第３段階警告である場合、表示部１５に付随する音声出力装置に、ブザー音を出力させると共に、その後、「ドアに触るな！」という音声を出力させる。イルミネーション制御ＥＣＵ９は、ステップＳ２５０を実行した後、ステップＳ２０５に戻る。
【００９６】
このように、後部右側座席の乗員は、後席右側ＬＥＤ９１Ｒ〜９８Ｒの流れる演出および表示部１５による文字情報表示によって、移動体が迫ってきているのにうっかり開けてしまった後部座席右側ドア閉じるよう強く注意喚起を受ける。したがって、もし後席右側ＬＥＤ９１Ｒ〜９８Ｒによる流れる演出の意味を把握できなくても、文字情報によって明確に、注意喚起の対象物（後部座席右側ドア）を知ることができる。
【００９７】
なお、第１、第２段階警告が同時に競合することがある場合、第２段階警告が優先され、第１、第３段階警告が同時に競合することがある場合、第３段階警告が優先される。つまり、第２段階警告または第３段階警告が行われているときは、ステップＳ２２５で第１段階警告を行わない。つまり、ステップＳ２２５では、第２段階警告も第３段階警告も行われていない場合に限り、第１段階警告を行う。
【００９８】
（他の警告処理）
上述の右後側方監視警告処理と後席右半ドア警告処理以外にも、イルミネーション制御ＥＣＵ９は、左後側方監視警告処理と後席左半ドア警告処理を行う。左後側方監視警告処理は上述の右後側方監視警告処理に対して左右を入れ替えたものであり、後席左半ドア警告処理は上述の後席右半ドア警告処理の左右を入れ替えたものである。
【００９９】
例えば、左後側方監視警告処理と後席左半ドア警告処理では、イルミネーション制御ＥＣＵ９は、後席左側座席に着座する乗員を対象とする注意喚起を行い、後席右側ＬＥＤ９１Ｒ〜９８Ｒに代えて後席左側ＬＥＤ９１Ｌ〜９８Ｌを制御し、可視光通信用照明９８Ｒに代えて可視光通信用照明９８Ｌの出す可視光に指示情報を重畳させる。そして、後部座席用受光表示装置１では、可視光通信用照明９８Ｌの出す可視光を、後席左側導光部材１１Ｌを介して、後席左側受光部１２Ｌで受光する。そして、注意喚起の対象物としては、後部右側座席のシートベルトに代えて後部左側座席のシートベルトを採用し、後部座席右側ドアに代えて後部座席左側ドアを採用し、右後側方の移動体に代えて左後側方の移動体を採用する。
【０１００】
以上説明した通り、本実施形態のイルミネーション制御ＥＣＵ９は、車両の後部座席の乗員に注意喚起を行うために可視光照明９１Ｌ〜９８Ｌ、９１Ｒ〜９８Ｒの点灯および消灯を制御する。それと共にイルミネーション制御ＥＣＵ９は、可視光通信用照明９８Ｌ、９８Ｒには、注意喚起の対象物を示す指示情報に応じた態様で可視光を出させる。また、受光部１２Ｌ、１２Ｒは、可視光通信用照明９８Ｌ、９８Ｒから入射した可視光に応じた電気信号を出力する。また、受光信号処理部１３は、受光部１２Ｌ、１２Ｒが出力した電気信号に基づいて、指示情報が示す対象物を含んだ文字情報を特定する。そして表示信号生成部１４は、受光信号処理部１３が特定した文字情報を表示部１５に表示させることで、当該文字情報を車両の後部座席の乗員に見せる。
【０１０１】
このように、複数の可視光照明が注意喚起を行うために点灯または消灯し、更に、可視光通信用照明から注意喚起の対象物を示す指示情報に応じた態様の可視光を出したとき、受光部が当該指示情報に応じた態様の可視光を電気信号に変換して出力する。そして、受光信号処理部は、当該電気信号に基づいて、当該指示情報が示す対象物を含んだ文字情報を特定し、表示部は、受光信号処理部が特定した当該文字情報を車両の後部座席の乗員に表示する。つまり、注意喚起のための可視光照明のうち可視光通信用照明から出る光を可視光通信にも利用することで、イルミネーション制御装置側に新たな送信装置を設ける必要なく、すなわち簡易に、注意喚起に対応した文字情報も後部座席の乗員に表示することができる。
【０１０２】
（他の実施形態）
なお、本発明は上記した実施形態に限定されるものではなく、特許請求の範囲に記載した範囲内において適宜変更が可能である。また、上記実施形態において、実施形態を構成する要素は、特に必須であると明示した場合および原理的に明らかに必須であると考えられる場合等を除き、必ずしも必須のものではないことは言うまでもない。また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記実施形態において、構成要素等の形状、位置関係等に言及するときは、特に明示した場合および原理的に特定の形状、位置関係等に限定される場合等を除き、その形状、位置関係等に限定されるものではない。また、本発明は、上記実施形態に対する以下のような変形例も許容される。なお、以下の変形例は、それぞれ独立に、上記実施形態に適用および不適用を選択できる。すなわち、以下の変形例のうち任意の組み合わせを、上記実施形態に適用することができる。
【０１０３】
（変形例１）
上記実施形態の導光部材１１Ｌ、１１Ｒは、光を通さない被覆で側面が覆われているので、光が側面から漏れることがない。しかし、かならずしもこのようになっておらずともよい。導光部材１１Ｌ、１１Ｒは、光を所定割合だけ通す被覆で側面が覆われていてもよい。このようにすれば、導光部材１１Ｌ、１１Ｒは、可視光通信用照明９８Ｌ、９８Ｒが点灯している場合は、後部座席の乗員の足元を照らすフットライトの役割も果たすことができる。
【０１０４】
また、上記実施形態の導光部材１１Ｌ、１１Ｒは、ライトガイド（導光チューブまたはライトストリングともいう）であってもよい。ライトガイドは、コア（例えば透明なアクリル樹脂）とコアを取り囲むクラッド（例えばフッ素系樹脂）を有する光ファイバーの原理を利用する線状かつ変形容易な部材である。ライトガイド２の端面から光が入射されると、光はコア内を他端まで伝搬すると共にライトガイドの側面のクラッドの表面全体から光が漏れる。このようになっていることで、ライトガイドの端部のみならず側面も発光するように見える。このようなライトガイドとしては、例えば、住友スリーエム株式会社の販売するレイミルキーフレックス６３、レイミルキーフレックス３５、レイスーパーミルキー３５（いずれも登録商標）等を用いることができる。
【０１０５】
（変形例２）
上記実施形態では、受光部１２Ｌ、１２Ｒの具体例としてフォトダイオードを挙げているが、受光部１２Ｌ、１２Ｒは、フォトダイオード以外のものから構成されていてもよい。例えば、受光部１２Ｌ、１２Ｒは、カメラのイメージセンサであってもよい。
【０１０６】
この場合、受光部１２Ｌまたは１２Ｒは、可視光通信用照明９８Ｌまたは９８Ｒのみならず、後席左側ＬＥＤ９１Ｌ〜９８Ｌ全体、または、後席右側ＬＥＤ９１Ｒ〜９８Ｒ全体の点滅の状態を、動画像の電気信号として、受光信号処理部１３に出力する。またこの場合、導光部材１１Ｌ、１１Ｒは不要である。
【０１０７】
このようになっている場合、イルミネーション制御ＥＣＵ９は、後席左側ＬＥＤ９１Ｌ〜９８Ｌ全体、または、後席右側ＬＥＤ９１Ｒ〜９８Ｒ全体を、可視光通信用照明として、これら全体の光の点滅の組み合わせにより、指示情報に対応した態様の可視光を出させる。この場合受光信号処理部１３は、受信した動画像の電気信号に基づいて、指示情報を復元する。
【０１０８】
（変形例３）
変形例２のように、受光部１２Ｌ、１２Ｒとしてカメラのイメージセンサを用いて導光部材１１Ｌ、１１Ｒを廃する場合、例えば、乗員が携帯する携帯端末（スマートホン、タブレット端末等）を、後部座席用受光表示装置１として使用することができる。この場合、受光信号処理部１３、表示信号生成部１４の機能は、携帯端末の制御部（ＣＰＵ、ＲＡＭ、ラッシュメモリ等）が所定のプログラムを実行することで実現される。また、表示部１５は、携帯端末のディスプレイによって実現される。また場合、携帯端末を後部座席用受光表示装置１とする場合、設置位置は、図２のような位置でもよいし、他の位置でもよい。
【０１０９】
（変形例４）
上記実施形態では、音による警告は、表示部１５に付随する音声出力装置が行うようになっている。つまり、後部座席用受光表示装置１が行うようになっている。しかし、音による警告は、イルミネーション制御ＥＣＵ９に付随する後部座席用受光表示装置１が行うようになっていてもよい。
【０１１０】
（変形例５）
また、上記実施形態では、イルミネーション制御ＥＣＵ９は、車両のエコ情報（例えば、燃費情報）を車両情報用ＬＡＮ２から受信し、受信したエコ情報が重畳された可視光を可視光通信用照明９８Ｌ、９８Ｒに出させるようになっていてもよい。このようになっていることで、表示部１５には、エコ情報も表示される。従来は、車のエコインジケーター（車のエコ情報を表示する状態表示灯）もメータ内にあるため、運転者だけがエコを意識できたが、本例のようにすることで、同乗者も車のエコ情報を共有することができる。したがって、運転者のエコ運転継続の意識が更に向上される。
【０１１１】
（変形例６）
上記実施形態では、ＬＥＤ９１Ｌ〜９８Ｌ、９１Ｒ〜９８Ｒの一部の代わりにライトガイドを用いてもよい。
【０１１２】
（変形例７）
上記実施形態では、流れる光の演出で、注意喚起の対象物に後部座席乗員の視線を導くよう、後席右側ＬＥＤ９１Ｌ〜９８Ｌ、９１Ｒ〜９８Ｒを異なるタイミングで点灯させている。しかし、注意喚起の対象物に後部座席乗員の視線を導くようなＬＥＤの制御方法は、流れる光の演出に限らない。例えば、ＬＥＤ９１Ｌ〜９８Ｌ、９１Ｒ〜９８Ｒのうち、注意喚起の対象物に最も近いＬＥＤを、他のＬＥＤとは別の色で発光させる方法を採用してもよい。ただしこの場合、ＬＥＤ９１Ｌ〜９８Ｌ、９１Ｒ〜９８Ｒの各々は、発光色が可変のものを用いる必要がある。
【符号の説明】
【０１１３】
１                                  後部座席用受光表示装置
９                                  イルミネーション制御ＥＣＵ
１１Ｌ、１１Ｒ                      導光部材
１２Ｌ、１２Ｒ                      受光部
１３                                受光信号処理部
１４                                表示信号生成部
１５                                表示部
９１Ｌ〜９８Ｌ、９１Ｒ〜９８Ｒ      ＬＥＤ
９８Ｌ、９８Ｒ                      可視光通信用照明
【図１】
0006327131.tif 000002
【図２】
0006327131.tif 000003
【図３】
0006327131.tif 000004
【図４】
0006327131.tif 000005